(57)【要約】  スクリーン３１に表示されうる要素４０〜７０、又は要素７０によって表されうるアイテム７１を制御するための装置１は、第一及び第二の次元において、例えば体の一部である物体２の特徴を検出するための検出器１１〜１３と、第一の特徴を要素４０〜７０又はアイテム７１の動作に変換する変換器１４を備える。動作を第二の特徴に依存するようにすることで、可能性の数を増やすことができる。第一の特徴は、物体２の動きでもよく、第二の特徴は、物体２の絶対的位置又は相対的位置でもよい。第一の次元は、スクリーン３１に平行でもよく、第二の次元は、スクリーン３１に垂直又は平行でもよく、また、この逆でもよい。動作は、要素４０〜６９からなる複数のグループ４〜６を、位置に応じた速度でブラウジングすることを含んでもよく、また、位置に応じて、グループ４〜６の一つ又は複数をブラウジングすることを含んでもよい。アイテム７１は、ランプ、電気製品、オーディオプレイヤー、又はビデオプレイヤーでもよく、これらの機器のパラメーターは、動き及び位置に応じて調整される。
2014512060.tif 000002
【特許請求の範囲】
【請求項１】
要素又はアイテムを制御するための装置であって、前記装置は、第一の次元において、物体の第一の特徴を、別の第二の次元において、前記物体の第二の特徴を検出するための検出器と、前記第一の特徴を、前記要素又は前記アイテムに対して実行される動作に変換するための変換器とを有し、前記動作は、前記第二の特徴に依存する、当該装置。
【請求項２】
前記第一の特徴は、前記物体の動きであり、前記第二の特徴は、前記物体の位置である、請求項１に記載の装置。
【請求項３】
前記要素は、スクリーン上に表示され、前記アイテムは、前記要素によって表され、前記第一の次元は、前記スクリーンに平行な方向であり、前記第二の次元は、前記スクリーンに垂直な方向である、請求項２に記載の装置。
【請求項４】
前記動作は、前記要素を含む複数の要素からなるグループを、位置に依存した速度でブラウジングすることを含む、請求項３に記載の装置。
【請求項５】
前記動作は、第一の位置においては、そのうちの一つのグループが前記要素を含む、複数の要素からなる複数のグループをブラウジングすることを含み、また、前記動作は、別の第二の位置においては、前記複数のグループのうちの一つをブラウジングすることを含む、請求項３に記載の装置。
【請求項６】
前記動作は、第一の位置においては、比較的概括的なスケールでブラウジングすることを含み、別の第二の位置においては、比較的具体的なスケールでブラウジングすることを含む、請求項３に記載の装置。
【請求項７】
前記要素は、スクリーン上に表示され、前記アイテムは、前記要素によって表され、前記第一の次元は、前記スクリーンに平行な方向であり、前記第二の次元は、前記スクリーンに平行な別の方向である、請求項２に記載の装置。
【請求項８】
前記動作は、前記動きに応じて、前記アイテムの第一のパラメーターを調整することを含み、前記位置に応じて、前記アイテムの別の第二のパラメーターを調整することを含む、請求項７に記載の装置。
【請求項９】
前記要素は、スクリーン上に表示され、前記アイテムは、前記要素によって表され、前記第一の次元は、前記スクリーンに垂直な方向であり、前記第二の次元は、前記スクリーンに平行な方向である、請求項２に記載の装置。
【請求項１０】
前記物体は、体の一部、体の一部によって保持される有体の物体、又は体の一部に取り付けられる有体の物体であり、前記位置は、好ましくは他の物体に対する相対的な位置であり、前記他の物体は、体の他の部分又は体の残りの部分である、請求項２に記載の装置。
【請求項１１】
前記変換器は、前記第二の特徴を、スクリーン上に表示されるか、又は他の手段で再現される情報に変換する、請求項１に記載の装置。
【請求項１２】
請求項１に記載の装置と、前記アイテム及び／又はスクリーンとを有する、デバイス。
【請求項１３】
要素又はアイテムを制御するための方法であって、前記方法は、第一の次元において物体の第一の特徴を、別の第二の次元において、前記物体の第二の特徴を検出することと、前記第一の特徴を、前記要素又は前記アイテムに対して実行される動作に変換することとを備え、前記動作は、前記第二の特徴に依存する、当該方法。
【請求項１４】
請求項１３に記載の方法を実行するためのコンピュータプログラム。
【請求項１５】
請求項１４に記載のコンピュータプログラムを記憶して含む、媒体。
【発明の詳細な説明】
【技術分野】
【０００１】
本発明は、要素またはアイテムを制御するための装置に関する。
【０００２】
本発明は、さらにデバイス、方法、コンピュータプログラム製品、及び媒体に関する。
【０００３】
このような装置の例は、ジェスチャー認識、及び認識されたジェスチャーの使用に基づくユーザー・トラッキング（追跡）装置、及びユーザー・インターフェース装置である。
【背景技術】
【０００４】
ＵＳ２００９／０２１７２１１Ａｌは、認識されたジェスチャーを用いた改良入力を開示する。
【０００５】
ＵＳ２０１０／０２３５７８６Ａｌは、離れた位置にあるデバイス用の改良３Ｄインターフェイスを開示する。
【発明の概要】
【発明が解決しようとする課題】
【０００６】
本発明の目的は、改良された装置を提供することである。
【０００７】
本発明の他の目的は、デバイス、方法、コンピュータプログラム製品、及び媒体を提供することである。
【課題を解決するための手段】
【０００８】
第一の側面によれば、要素又はアイテムを制御するための装置であって、装置は、第一の次元において、物体の第一の特徴を、別の第二の次元において、物体の第二の特徴を検出するための検出器と、第一の特徴を、要素又はアイテムに対して実行される動作に変換するための変換器とを有し、動作は、第二の特徴に依存する、当該装置が提供される。
【０００９】
物体は、例えば体の一部、体の一部によって保持される有体の物体、又は体の一部に取り付けられる物体等でもよい。体の一部は、例えば手、指、腕、足、脚、又は鼻等でもよい。要素は、例えばスクリーン上のアイコン、シンボル（記号等）、サムネイル、又はウインドウ等でもよい。要素は、コンピュータに保存されたデータ、例えば写真、プログラム、音声若しくは音楽、又は映像等を表してもよい。要素は、スクリーンから離れた位置にある制御可能なアイテム、例えばランプ、電気製品、オーディオプレイヤー、又はビデオプレイヤー等を表してもよい。
【００１０】
検出器は、第一の次元において、物体の第一の特徴を検出し、他の第二の次元において、物体の第二の特徴を検出するように構成されている。変換器は、第一の特徴を、要素又は要素によって表されるアイテムに対して実行される動作に変換するように構成されている。
【００１１】
したがって、動作は、第一の次元において検出された第一の特徴によって規定される。動作を第二の特徴に依存するようにすることで、動作の態様、種類、又はパラメーター等を、第二の特徴によって規定することができる。これは、可能性の数を増やすため、大きな改良である。
【００１２】
また、この装置は、ユーザーによる操作がより効率的になるという点でも有利である。従来、動作の態様、種類、又はパラメーターを適合（変更）するためには、ユーザーは、例えばスクリーン上の他のロケーションに行かなければならなかった。これは非効率的な作業である。この装置によれば、ユーザーは、スクリーン上の当該要素から去ることなく、適合を行うことができる。これはより効率的な作業である。
【００１３】
上記装置の一実施形態は、第一の特徴が、物体の動きであり、第二の特徴が、物体の位置であることによって定義される。この実施形態によれば、動きの解釈（判定）を、位置によって適合することができる。この位置は、スクリーン又は他の物体に対して規定することができる。動きは、回転、傾き、ピッチング、ローリング、ヨーイング、スワイプ、及びジャンプ等を含みうる。
【００１４】
上記装置の一実施形態は、要素は、スクリーン上に表示され、アイテムは、要素によって表され、第一の次元は、スクリーンに平行な方向であり、第二の次元は、スクリーンに垂直な方向であることによって定義される。この実施形態によれば、物体が、スクリーンのより近く、及び／又は他の物体からより遠くに位置するときの動きは、第一の結果を生じ、物体が、スクリーンからより遠く、及び／又は他の物体のより近くに位置するときの動きは、別の第二の結果を生じる。
【００１５】
上記装置の一実施形態は、上記要素を含む複数の要素からなる一つグループを、位置に依存した速度でブラウジング（閲覧）することを含むことによって定義される。この実施形態によれば、物体が、スクリーンのより近く、及び／又は他の物体からより遠くの位置で動くときは、第一の速度でブラウジングが行われ、物体が、スクリーンからより遠く、及び／又は他の物体のより近くの位置で動くときは、別の第二の速度、例えばより速い速度でブラウジングが行われる。
【００１６】
上記装置の一実施形態は、動作は、第一の位置においては、そのうちの一つのグループが上記要素を含む、複数の要素からなる複数のグループをブラウジングすることを含み、また、動作は、別の第二の位置においては、複数のグループのうちの一つをブラウジングすることを含むことによって定義される。この実施形態によれば、物体が、スクリーンのより近く、及び／又は他の物体からより遠くの位置で動くときは、第一のレベル、例えば要素レベルでブラウジングが行われ、物体が、スクリーンからより遠く、及び／又は他の物体のより近くの位置で動くときは、別の第二のレベル、例えばグループレベルでブラウジングが行われる。
【００１７】
上記装置の一実施形態は、動作は、第一の位置においては、比較的概括的なスケールでブラウジングすることを含み、また、動作は、別の第二の位置においては、比較的具体的なスケールでブラウジングすることを含むことによって定義される。この実施形態によれば、物体が、スクリーンのより近く、及び／又は他の物体からより遠くの位置で動くときは、第一のスケール、例えば具体的なスケールでブラウジングが行われ、物体が、スクリーンからより遠く、及び／又は他の物体のより近くの位置で動くときは、別の第二のスケール、例えば概括的なスケールでブラウジングが行われる。
【００１８】
上記装置の一実施形態は、要素は、スクリーン上に表示され、アイテムは、要素によって表され、第一の次元は、スクリーンに平行な方向であり、第二の次元は、スクリーンに平行な別の方向であることによって定義される。この実施形態によれば、物体が、高い（又は低い）位置で、例えば水平方向に動くときは第一の結果を生じ、物体が、より低い（又は高い）位置で水平方向に動くときは、別の第二の結果を生じる。同様に、物体が、左（又は右）側の位置で、例えば垂直方向に動くときは第三の結果を生じ、物体が、より右（又は左）側の位置で垂直方向に動くときは、別の第四の結果を生じる。
【００１９】
上記装置の一実施形態は、動作は、動きに応じて、アイテムの第一のパラメーターを調整することを含み、また、動作は、位置に応じて、アイテムの別の第二のパラメーターを調整することを含むことによって定義される。この実施形態によれば、光を発生するランプの形態のアイテムにおいては、動きによって、例えば光の明るさが適合され、位置によって、例えば光の色が適合されうる。音声又は音楽を再生するオーディオプレイヤーの形態のアイテムにおいては、動きによって、例えばボリューム（音量）が適合され、位置によって、例えば周波数が適合されるか、又は、異なる位置において、異なる周波数成分のボリュームを適合することができる。同一の要素が両方のオプションを実行することができ、各オプションのために新たな要素をつくる必要がない。
【００２０】
上記装置の一実施形態は、要素は、スクリーン上に表示され、アイテムは、要素によって表され、第一の次元は、スクリーンに垂直な方向であり、第二の次元は、スクリーンに平行な方向であることによって定義される。この実施形態によれば、物体が、スクリーンに対して垂直な方向に動くときは、物体が、例えばスクリーンに対して左側若しくは右側の位置、又は、高い若しくは低い位置にあるかに応じて、異なる結果が生じる。
【００２１】
上記装置の一実施形態は、物体は、体の一部、体の一部によって保持される有体の物体、又は体の一部に取り付けられる物体であり、上記位置は、好ましくは他の物体に対する相対的な位置であり、他の物体は、体の他の部分又は体の残りの部分であることによって定義される。上記制御は、ジェスチャーに基づく制御としても知られている。位置は、（例えばスクリーンに対して）絶対的な位置でもよいが、好ましくは、例えば体の他の部分又は体の残りの部分等の他の物体に対する相対的な位置でもよい。位置が絶対的位置の場合、検出器は、絶対的検出を実行できるべきである。位置が相対的位置の場合、検出器は、両物体及び両物体の相対的位置を検出することによる相対的検出を行うだけでよく、絶対的検出は必要ない。
【００２２】
上記装置の一実施形態は、変換器は、第二の特徴を、スクリーン上に表示されるか、又は他の手段で再現される情報に変換することによって定義される。この実施形態によれば、ユーザーを援助するために、ユーザーに対して、スクリーン上又は他の手段（例えば、音声、又は、物体若しくはアイテムに送信される信号等）でフィードバックが提供される。
【００２３】
なお、第一の次元における物体の第一の特徴、及び別の第二の次元における物体の第二の特徴は、いずれも同一の要素に関連するものである。したがって、スクリーン上で当該要素の隣に位置する要素が、例えばスクリーンに平行な第二の方向である第二の次元において移動したとき、第二の特徴は検出されない。また、第一の特徴は、要素又は要素によって表されるアイテムに対して実行される動作に変換され、この要素又は要素によって表されるアイテムに対して実行される動作は、第二の特徴に依存する。したがって、第二の特徴は、この動作の態様、種類、又はパラメーター等を定義する。
【００２４】
第二の側面によれば、前記装置と、アイテム及び／又はスクリーンとを備えるデバイスが提供される。
【００２５】
第三の側面によれば、要素又はアイテムを制御するための方法であって、当該方法は、第一の次元において、物体の第一の特徴を、別の第二の次元において、物体の第二の特徴を検出することと、第一の特徴を、要素又はアイテムに対して実行される動作に変換することとを含み、動作は、第二の特徴に依存する、方法が提供される。
【００２６】
第四の側面によれば、上記方法の工程を実行するためのコンピュータプログラムが提供される。
【００２７】
第五の側面によれば、上記コンピュータプログラムを記憶して含む媒体が提供される。
【００２８】
上記方法の実施形態は、上記装置の実施形態に対応する。
【００２９】
本発明の洞察は、スクリーン上に表示される可能性がある要素を制御するため、又は、要素によって表される可能性があるスクリーンから離れた位置にありうるアイテムを制御するために、二つ以上の次元を使用しうることでありうる。基本的な概念は、第一及び第二の次元において、物体の第一及び第二の特徴を検出し、検出された第一の特徴を、要素又はアイテムに対して実行される動作に変換し、動作を第二の特徴に依存するようにすることで、可能性の数を増やせることでありうる。
【００３０】
改良された装置を提供するという課題は解決された。他の利点は、ユーザーによる操作がより効率的になることである。
【００３１】
本発明のこれら及び他の側面は、以下に記載される実施形態を参照して説明され、明瞭になるであろう。
【図面の簡単な説明】
【００３２】
【図１】図１は、装置を含むデバイスを示す。
【図２】図２は、デバイス及び装置を、互いに分離して示す。
【図３】図３は、スクリーン上における、複数の要素からなる複数のグループのブラウジング（上部）、及び、スクリーン上における、複数の要素からなる一つのグループ内でのブラウジング（下部）を示す。
【図４】図４は、スクリーン上で要素によって表され、物体によって制御されるアイテムを示す。
【図５】図５は、スクリーン上で要素によって表されないが、物体によって制御されるアイテムを示す。
【発明を実施するための形態】
【００３３】
図１は、装置を含むデバイスを示す。装置１は、３Ｄカメラの形態の検出器１１、及び検出器１１に接続された変換器１４を含む。デバイス３は、さらにスクリーン３１、及びプロセッサー３２を含む。変換器１４は、別のプロセッサーであってもよく、且つ／又は、プロセッサー３２の一部を構成してもよい。
【００３４】
図２は、デバイスと装置とを分離して示す。装置１は、第一の２Ｄカメラ及び第二の２Ｄカメラの形態の検出器１２、１３、並びに検出器１２、１３に接続された変換器１４を含む。デバイス３は、スクリーン３１、及び変換器１４に接続されたプロセッサー３２を含む。変換器１４は、別のプロセッサーであってもよい。
【００３５】
他の種類の検出器、例えば、グローバル・ポジショニング・システム検出器やローカル・ポジショニング・システム検出器等の絶対的位置を検出する検出器、電磁場の乱れを検出する検出器、レーダー又はソナー技術に基づく検出器等も除外されない。
【００３６】
図３の上部は、スクリーン上における、複数の要素からなる複数のグループのブラウジング（閲覧）を示し、図３の下部は、スクリーン上における、複数の要素からなる一つのグループ内でのブラウジングを示す。図３の上部は、それぞれ１０個の要素４０〜４９、５０〜５９、及び６０〜６９からなる３つのグループ４〜６を表示している、スクリーン３１を示す（正面図）。さらに、例えば体の一部、体の一部によって保持される有体の物体、又は体の一部に取り付けられた有体の物体等である物体２が示されている（上面図）。体の一部は、例えば手、指、腕、足、脚、又は鼻等でもよい。要素４０〜６９は、例えば画面上のアイコン、シンボル、サムネイル、又はウインドウ等でもよい。要素４０〜６９は、コンピュータ中に保存されたデータ、例えば写真、プログラム、音声若しくは音楽、又は映像等を表してもよい。図３の上部においては、例えばユーザーが手の指を左（Ｘ方向）に振ることにより、物体２は、矢印で示されるように左に動いている。これは、スクリーン３１から第一の距離（Ｚ方向）で行われる。
【００３７】
図３の下部は、１０個の要素５０〜５９を表示しているスクリーン３１を示す（正面図）。さらに、物体２が示されている（上面図）。この場合においても、例えばユーザーが手の指を左（Ｘ方向）に振ることにより、物体２は、矢印で示されるように左に動いている。ただし、この場合においては、これはスクリーン３１から、第一の距離より短い第二の距離において行われる（Ｚ方向）。このため、ユーザーは、現在はグループ４〜６をブラウジングしておらず、グループ４〜６のうちの一つであるグループ５内の要素５０〜５９をブラウジングしている。これによって、要素５０〜５９は拡大されてもよいし、互いにより離れて示されてもよい。
【００３８】
したがって、概して言えば、この場合において、装置１は、スクリーン３１上に示された要素４０〜６９を制御するように構成されている。検出器１１〜１３は、第一の次元において物体２の第一の特徴を、別の第二の次元において物体２の第二の特徴を検出するように構成されている。変換器１４は、第一の特徴を、要素４０〜６９に対して実行される動作に変換するように構成されている。大きな改良によれば、動作は第二の特徴に依存してもよい。
【００３９】
好ましくは、第一の特徴は、物体２の動きでもよく、第二の特徴は、物体２の位置でもよい。第一の次元は、スクリーン３１に平行な方向Ｘでもよく、第二の次元は、スクリーン３１に垂直な方向Ｚでもよい。
【００４０】
図示のように、動作は、第一の位置においては、要素４０〜６９からなる複数のグループ４〜６のブラウジングを含んでもよく、別の第二の位置おいては、複数のグループ４〜６のうちの一つであるグループ５（内）のブラウジングを含んでもよい。
【００４１】
同様に、又は代替的に、動作は、要素４０〜６９からなる複数のグループ４〜６の一つ又は複数を、距離に応じた速度でブラウジングすることを含んでもよい。同様に、又は代替的に、動作は、第一の位置においては、比較的概括的なスケールでブラウジングすることを含んでもよく、別の第二の位置においては、比較的具体的なスケールでブラウジングすることを含んでもよい。
【００４２】
上記制御は、ジェスチャーに基づく制御とも知られている。位置は、スクリーン３１及び／又は他の物体に対して規定することができる。位置は、例えばスクリーン３１に対して絶対的な位置でもよく、例えば他の物体に対して相対的な位置でもよい。他の物体は、例えば体の他の部分、又は体の残りの部分でもよい。位置が絶対的位置の場合、検出器１１〜１３は、絶対的検出が実行できるべきである。位置が相対的位置の場合、検出器１１〜１３は、両物体及び両物体の位置を検出することによる相対的検出を行うだけでよく、絶対的検出は必要ない。
【００４３】
図４は、スクリーン３１上で要素７０によって示され、物体２によって制御されるアイテム７１を示す。この場合においては、アイテム７１はランプであるが、アイテムは、電気製品、オーディオプレイヤー、ビデオプレイヤー、又はコンシューマ向け製品若しくはプロフェッショナル向け製品等の製品等でもよい。アイテム７１は、通常、スクリーン３１から離れた位置にある制御可能なアイテムである。
【００４４】
概して言えば、この場合においては、装置１は、スクリーン３１上で要素７０によって表されるアイテム７１を制御するように構成されている。検出器１１〜１３は、第一の次元では物体２の第一の特徴を、別の第二の次元では物体２の第二の特徴を検出するように構成されている。変換器１４は、第一の特徴を、アイテム７１に対して実行される動作に変換するよう構成されている。大きな改良によれば、動作は第二の特徴に依存してもよい。
【００４５】
好ましくは、第一の特徴は、物体２の動きでもよく、第二の特徴は、物体２の位置でもよい。この場合においては、第一の次元は、スクリーン３１に平行な方向Ｘでもよく、第二の次元は、スクリーン３１に平行な別の方向Ｙでもよい。方向Ｘ及びＹは、例えば互いに直交する方向である。
【００４６】
動作は、動きに応じてアイテム７１の第一のパラメーターを調整すること、位置に応じてアイテム７１の別の第二のパラメーターを調整することを含んでもよい。光を発生するランプの形態のアイテム７１においては、動きによって、例えば光の明るさが適合され、位置によって、例えば光の色が適合されうる。
【００４７】
あるいは、音（音声又は音楽）を発生するオーディオプレイヤーの形態のアイテムにおいては、動きによって、例えばボリュームが適合され、位置によって、例えば周波数が適合されるか、又は、異なる位置において、異なる周波数成分のボリュームが適合される等でもよい。
【００４８】
また、他の改良によれば、変換器１４は、（ユーザーの）援助を目的として、ユーザーに、スクリーン３１上、又は、音声若しくは物体２やアイテム７１に送信される信号等の他の手段でフィードバックを提供するべく、第二の特徴を、スクリーン３１上に表示される又は他の手段で再現される情報に変換するように構成されている。
【００４９】
あるいは又はさらに、第二の特徴は、物体２の位置の変化、言い換えれば、物体２の（一時的な）動きでもよく、この物体２の動きにより、第一の特徴を（一時的に）止めることができる。したがって、第一及び第二の特徴は、過度に限定的に捉えられるべきではない。同様に、図３における速度及び／又はブラウジングは、Ｘ及びＹ方向における動き及び位置に応じて調整されてもよく、図４におけるパラメーターは、Ｘ及びＺ方向、又はＹ及びＺ方向等における動き及び位置に応じて調整されてもよい。各場合において、二次元ではなく三次元が用いられてもよく、さらに、時間、日付、光量、音量、又は温度等の他の特徴を導入して、四次元として用いられてもよい。
【００５０】
図５は、スクリーン上で要素によって表されないが、物体によって制御されるアイテムを示す。この場合においては、アイテム７１は、スピーカの形態をとる。アイテム７１から第一の距離（方向Ｚで表される）において、物体２をスピーカと平行（例えばＸ方向）に動かくすことによって、ボリュームが制御される（例えば、左方向：ボリューム小、右方向：ボリューム大）。アイテム７１から第二の距離（方向Ｚで表される）において、物体２をスピーカと平行（例えばＸ方向）に動かすことによって、トラック選択が制御される（例えば、左方向：前の曲、右方向：次の曲）。したがって、第二の距離は、第一の距離とは異なるべきであり、第一の距離より大きくとも小さくともよい。このようにすることで、異なるゾーン（区域）がつくられ、同じ動作が異なるゾーンごとに独自の意味を持つ。
【００５１】
図５に示すようなスピーカの形態のアイテム７１においては、ここでは図示しない一つ又は複数の検出器が、アイテム７１の一部を構成するか、又はここでは図示しない装置の一部を構成してもよい。また、アイテム７１は、ユーザーを援助するため、ユーザーに、ユーザーがどのゾーンで物体２を動かしているのかを示すフィードバックを提供する図示しないユニット、例えば一つ又は複数の発光ダイオード等を備えてもよい。
【００５２】
したがって、例えば、体との相対的な、若しくはより絶対的なジェスチャー距離、又は、例えば体との相対的な、若しくはより絶対的な水平若しくは垂直方向位置は、ブラウジング又はスクローリングのレベルと関連付けられてもよい。ブラウズ又はスクロール可能な要素の範囲又は領域を表すブラウジング又はスクローリング・レベルを示すために、スクリーン上にフィードバックが提供されてもよい。
【００５３】
ジェスチャー・トラッキング（追跡）・バージョンによれば、要素をブラウズ又はスクロールするためにハンド（手）・トラッキング又はフィンガー（指）・トラッキングが用いられる。体の左側の手又は指が、グループの最初の要素に関連付けられてもよい。体の右側の手又は指が、グループの最後の要素に関連付けられてもよい。別のジェスチャー・バージョンによれば、左右へのスワイプは、グループ内の多数の要素をとばす（ジャンプする）ために用いられる。手又は指が体に近い場合、ジャンプは大きく、要素の完全なセットを検索することができる。手又は指が体から離れて動く場合、スワイプによる要素セット内のジャンプはより小さい。
【００５４】
モード切替については、画像ブラウザ・アプリケーションを作成してもよい。ユーザーは、水平方向のジェスチャーによって医療用ＸＲ画像をブラウズすることができる。体から近い位置でのジェスチャーは、個々のラン（ランとは、ＸＲ装置の一回転でつくられる一連の画像である）をブラウズするために用いられる。ユーザーが腕を広げると、ブラウジングモードが変わり、左右の動きで一つのラン内の個々の画像をブラウズすることができる。
【００５５】
ダイナミックレンジ画像ブラウジングによれば、ブラウズ可能な画像の範囲は、ジェスチャーの相互作用距離と結び付けられる。例えば、ユーザーが体の近くでジェスチャーをする場合、左から右への動きはラン内の全ての画像に関連付けられる。手が左側にある場合、最初の画像が提示される。左から右に動くことで、セット内の画像を素早くブラウズする（めくる）ことができる。手が右側にある場合、最後の画像が提示される。医療用ＸＲ環境においては、通常、一セットは数百の画像からなる。ユーザーがよりスクリーンの近くで手を動かす場合、画像の範囲は狭められてもよく、セレクション（選択）をブラウズすることができる。このセレクションにおいては、フォーカスされる画像は中間画像として用いられてもよい。マッピング（関連付け）は、よりダイナミックな特性を付与し、ユーザーに、より多くの制御、及び、より高精細な画像ごとの閲覧と組み合わされた高速ブラウジングを提供する。
【００５６】
ダイナミックレンジ・ジェスチャー制御の原理は、別のジェスチャー（左又は右スワイプ）を用いる場合にも適用することができる。上記の例において、スワイプは、左右何れかに第一の画像数ジャンプする（とばす）。スワイプのジェスチャーが、スクリーンのより近くで実行されると、ジャンプは、第一の画像数より小さい第二の画像数、場合によっては、画像ごとにブラウズするために一枚になる。
【００５７】
まとめると、スクリーン３１に表示されうる要素４０〜７０、又は要素７０によって表されうるアイテム７１を制御するための装置１は、第一及び第二の次元において、例えば体の一部である物体２の特徴を検出するための検出器１１〜１３と、第一の特徴を要素４０〜７０又はアイテム７１の動作に変換する変換器１４を備える。動作を第二の特徴に依存するようにすることで、可能性の数を増やすことができる。第一の特徴は、物体２の動きでもよく、第二の特徴は、物体２の絶対的位置又は相対的位置でもよい。第一の次元は、スクリーン３１に平行でもよく、第二の次元は、スクリーンに垂直又は平行でもよく、また、この逆でもよい。動作は、要素４０〜６９からなるグループ４〜６を、位置に応じた速度でブラウジングすることを含んでもよく、又は、位置に応じて、グループ４〜６の一つ又は複数をブラウジングすることを含んでもよい。アイテム７１は、ランプ、電気製品、オーディオプレイヤー、又はビデオプレイヤーでもよく、したがって、これらの機器のパラメーターは動き及び位置に応じて調整される。
【００５８】
本発明は、図面及び上記記載において詳細に図示及び説明されるが、かかる図示及び説明は、本発明を説明するためのものとして解されるべきであり、本発明を制限するものではない。本発明は、開示の実施形態に限定されない。発明を実施するにあたり、当業者は図面、明細書、特許請求の範囲に基づき、開示された実施例への他の変更を理解及び実施できる。特許請求の範囲において、「有する（又は含む、備える）」という動詞及びその活用形の使用は、請求項内に記された以外の要素又は工程の存在を除外せず、また、要素は複数を除外しない。いくつかの手段が互いに異なる独立請求項に記載されているからといって、それらの手段の組み合わせを好適に使用できないとは限らない。特許請求の範囲において、括弧内のいかなる参照符号も特許請求の範囲を制限すると解釈されるべきではない。
【図１】
2014512060.tif 000003
【図２】
2014512060.tif 000004
【図３】
2014512060.tif 000005
【図４】
2014512060.tif 000006
【図５】
2014512060.tif 000007
【国際調査報告】
2014512060.tif 000008
2014512060.tif 000009
2014512060.tif 000010
2014512060.tif 000011
2014512060.tif 000012